(57)【要約】      （修正有）【課題】おむつモジュールによっておむつ装着者のおむつ内の排泄を予測するための方法に関する。【解決手段】おむつモジュール２は、排泄センサ３と運動センサと算術演算装置とを有する。運動センサが、おむつ装着者の複数の運動パターンを感知し、算術演算装置が排泄センサのデータに関連付ける。排泄物が感知されたとき、運動パターンが記憶され、当該関連のある運動パターンによってその後に感知される排泄に関連付けされる。算術演算装置が、関連のある運動パターンと関連のない運動パターンとを識別することを学習する。複数の運動パターンのうちの幾つかの運動パターンが、関連のある運動パターンに割り当てられるように、複数の運動パターンが、運動パターン認識によって分類され、間近に迫っている排泄に対する予測が実行され、おむつモジュールが予測時に、ユーザに警告するための予測信号を送信する。【選択図】図１
2017189615.tif 000002
【特許請求の範囲】
【請求項１】
おむつモジュール（２）によっておむつ装着者のおむつ（１）内の排泄を予測するための方法において、
前記おむつモジュール（２）は、排泄センサ（３）と運動センサ（４）と算術演算装置（５）とを有し、前記おむつモジュール（２）の少なくとも一部が、前記おむつ（１）に配置され、前記運動センサ（４）が、前記おむつ装着者の複数の運動パターンを取得し、
前記算術演算装置（５）が、前記排泄センサ（３）によって前記運動パターンを前記排泄センサ（３）のデータに関連付け、排泄物が感知されたときに、前記運動パターンが、関連のある運動パターンとして記憶され、当該関連のある運動パターンによって好ましくはその後に感知される排泄に関連付けされ、
前記算術演算装置（５）が、前記関連のある運動パターンによって１つの運動パターン認識を基準にし、関連のある運動パターンと関連のない運動パターンとを識別することを学習し、
前記複数の運動パターンのうちの幾つかの運動パターンが、前記関連のある運動パターンに割り当てられるように、前記複数の運動パターンが、前記運動パターン認識によって分類され、これによって、間近に迫っている排泄に対する予測が実行され、
前記おむつモジュール（２）が、予測時に、ユーザに警告するための予測信号を送信する当該方法。
【請求項２】
複数の予測信号のうちの幾つかの予測信号が、前記ユーザによって検査され、これらの検査の結果が、前記運動パターン認識を改良するために前記算術演算装置（５）によって記憶される請求項１に記載の方法。
【請求項３】
１つの排泄が感知されたときに、前記おむつモジュール（２）は、前記ユーザに注意を喚起するために排泄信号を送信する請求項１又は２に記載の方法。
【請求項４】
前記ユーザは、複数の排泄信号のうちの幾つかの排泄信号に基づいて、排泄が存在するか否かを検査し、これらの検査の結果が、排泄を感知するための排泄パターン認識を改良するために前記算術演算装置（５）によって記憶される請求項３に記載の方法。
【請求項５】
前記おむつモジュール（２）は、予め設定されている一組の運動パターン及び／又は排泄パターンを有する請求項１〜４のいずれか１項に記載の方法。
【請求項６】
前記おむつモジュール（２）は、関連のある運動パターン及び／又は排泄パターンと、関連のない運動パターン及び／又は排泄パターンとの識別を改良するために、予め設定されている一組のフィルタを有する請求項１〜５のいずれか１項に記載の方法。
【請求項７】
当該複数の運動パターンに関連付けられた前記排泄センサ（３）の複数のデータがそれぞれ、これらの運動パターンに時間的に追従する請求項１〜６のいずれか１項に記載の方法。
【請求項８】
前記おむつモジュール（２）は、モバイル電子機器（８）と通信するために通信装置（７）を有する請求項１〜７のいずれか１項に記載の方法。
【請求項９】
前記排泄センサ（３）は、湿度センサである請求項１〜８のいずれか１項に記載の方法。
【請求項１０】
前記排泄センサ（３）の一部が、前記おむつモジュール（２）に可逆的に及び／又は不可逆的に装着される請求項１〜９のいずれか１項に記載の方法。
【請求項１１】
前記おむつモジュール（２）は、前記おむつ（１）に可逆的に及び／又は不可逆的に固定される請求項１〜１０のいずれか１項に記載の方法。
【請求項１２】
前記おむつモジュール（２）は、その操作のためにインタフェース（１２）を有する請求項１〜１１のいずれか１項に記載の方法。
【請求項１３】
前記運動センサ（４）は、回転運動及び／又は並進運動を感知する請求項１〜１２のいずれか１項に記載の方法。
【請求項１４】
前記算術演算装置（５）は、前記おむつ（１）に配置された前記おむつモジュール（２）の一部に内蔵されていて、及び／又は前記おむつ（１）に配置されていない前記おむつモジュール（２）の一部に内蔵されている請求項１〜１３のいずれか１項に記載の方法。
【請求項１５】
特に請求項１〜１４のいずれか１項に記載のおむつ装着者のおむつ（１）内の排泄を予測するためのおむつモジュール（２）において、
前記おむつモジュール（２）は、排泄センサ（３）と運動センサ（４）と算術演算装置（５）とを有する当該おむつモジュール（２）。
【発明の詳細な説明】
【技術分野】
【０００１】
本発明は、おむつモジュールによっておむつ装着者のおむつ内の排泄を予測するための方法に関する。この場合、当該おむつモジュールは、１つの排泄センサと１つの運動センサと１つの算術演算装置とを有する。さらに、本発明は、おむつ装着者のおむつ内の排泄を予測するためのおむつモジュールに関する。
【背景技術】
【０００２】
このようなおむつモジュールは、独国特許第６９９３０８５３号明細書から既に公知である。この明細書では、特に排泄センサ及び運動センサが、早期警報測定装置を提供するために提唱される。プロアクティブ型（ｐｒｏａｋｔｉｖ）センサとも称されるこのような予測型（ｖｏｒｈｅｒｓａｇｅｎｄｅｎ）センサは、例えば、姿勢、血圧、動作、振動、筋収縮、電位、血流、湿度、体温、酵素、細菌、ｐＨ値、導電率、抵抗、静電容量、又はインダクタンス、並びにその他の化学特性、生化学特性、生物学特性、機械特性又は電気特性を感知する。しかしながら、結局、肛門括約筋の筋収縮を感知する運動センサだけが推奨される。したがって、当該肛門括約筋の活動、すなわち間近に迫っている排泄を感知するためには、当該運動センサが、肛門括約筋のすぐ近くに配置される必要がある。この場合、このような筋収縮は、非常に鮮明で且つ明瞭な信号を提供する点に留意する必要がある。その結果、肛門括約筋のすぐ近くに配置された運動センサを使用することで、筋収縮パターンを認識するために当該運動センサの後方に存在するプログラムが、重大な問題に直面しない。当該プログラムは、筋収縮の増大する振幅の平均値を測定することができるだけでよい。このため、当該プログラムは、肛門括約筋の基礎活動の通常の範囲の上にある当該筋収縮の振幅の予め設定された１つの閾値だけを必要とする。
【０００３】
しかしながら、当該公知のおむつモジュールは、固体の排泄だけを予測し得る。しかし、子供が、ほぼ適切な時期におむつ離れされ、子供用おまるを使用するように、あらゆる排泄、特に液体の排泄が予測され得ることが望ましい。このことは、当該学習過程を著しく早める。これによって、一部の子供のおむつの習慣が、一年程度早く止められる。その結果、おむつの消費が劇的に減少され得、環境がこれに応じてより強固に保護され得る。さらに、運動センサを肛門括約筋のすぐ近くに正確に配置することは困難である。何故なら、小さい子供の部分的に著しい運動欲求に起因して、運動センサが容易に外れるおそれがあり、したがって筋収縮の感知が不可能になり得るからである。
【先行技術文献】
【特許文献】
【０００４】
【特許文献１】独国特許第６９９３０８５３号明細書
【発明の概要】
【発明が解決しようとする課題】
【０００５】
それ故に、本発明の課題は、特に子供の−特に少なくとも液体の−排泄が確実に予測され得る方法を提供することにある。また、本発明は、当該技術課題に基づいて、対応する装置を提供することにある。
【課題を解決するための手段】
【０００６】
この技術課題を解決するため、本発明は、おむつモジュールによっておむつ装着者のおむつ内の排泄を予測するための方法に関する。この場合、当該おむつモジュールは、排泄センサと運動センサと算術演算装置とを有する。この場合、当該おむつモジュールの少なくとも一部が、当該おむつに配置される。この場合、当該運動センサが、当該おむつ装着者の複数の運動パターンを取得する。この場合、当該算術演算装置が、当該排泄センサによって当該運動パターンを当該排泄センサのデータに関連付ける。この場合、排泄物が感知されたときに、当該運動パターンが、関連のある運動パターンとして記憶され、当該関連のある運動パターンによって好ましくはその後に感知される排泄に関連付けされる。この場合、当該算術演算装置が、当該関連のある運動パターンによって１つの運動パターン認識を基準にし、関連のある運動パターンと関連のない運動パターンとを識別することを学習する。この場合、当該複数の運動パターンのうちの幾つかの運動パターンが、当該関連のある運動パターンに割り当てられるように、当該複数の運動パターンが、当該運動パターン認識によって分類される。これによって、間近に迫っている排泄に対する予測が実行される。この場合、当該おむつモジュールが、予測時に、ユーザに警告するための予測信号を送信する。
【０００７】
用語「排泄センサ」は、特に湿度センサ及び／又は温度センサを意味する。当該算術演算装置が、特にプロセッサを有し、特にメモリをさらに有する。表現「おむつの一部に配置」は、当該おむつモジュールが有形に互いに分離された２つ又は複数の部分を有してもよいことを意味する。例えば、−好ましくはハウジング内の−運動センサと、特に排泄センサの一部とだけが、おむつに配置されている。これに対して、当該算術演算装置が、おむつに配置されているのではなくて、外部の機器内に存在してもよい。当該排泄センサと当該運動センサとが、無線を通じて当該算術演算装置と通信することが可能である。別の好適な実施の形態によれば、当該排泄センサの一部と当該運動センサと当該算術演算装置とが、当該おむつに配置されている１つのハウジング内に存在する。
【０００８】
用語「運動パターン」は、特に、当該運動センサによって記録され且つさらに処理されるデータセットを意味する。このデータセットは、好ましくは、時間に対する運動振幅の変化を有する。表現「パターン認識」は、特に、特徴抽出法と特徴縮小法と分類とを有する。「特徴抽出法」は、例えば、頻度や振幅分布のような特徴を運動パターンから得る方法と解釈される。「特徴縮小法」は、特に、全ての特徴を重要な特徴に限定する方法と解釈される。この場合、当該重要な特徴は、好ましくは、非常に重要な特徴である。「分類」は、特に、第２運動パターンを当該重要な特徴に基づいて所定の１つの部類（例えば、未排泄、液体の排泄、固体の排泄）に割り当てることと解釈される。
【０００９】
用語「予測信号」は、例えば、音響信号及び／又は光学信号及び／又は触覚信号と解釈される。当該信号は、例えば、より明るい色調、発光ダイオードの明滅又は振動でもよい。好ましくは、当該予測信号は、−例えば−無線又は赤外線によって外部の機器に転送され、この外部の機器で音響信号／光学信号／触覚信号に変換される。
【００１０】
本発明は、乳児及び幼児が排泄の直前に固有の種類の運動パターンを実行するという認識に基づく。この場合、複数の子供の運動パターンは、部分的に著しく相違する。幾人かの子供は、寝返る傾向にある一方で、別の子供は、例えば手足をばたばた動かすか又は所定の期間に１つの姿勢をとり続ける。したがって、当該対象となる運動パターンの幅は、まず個々の子供に依存し、それぞれの排泄の種類にも依存する。それ故に、確実な予測を規定の一組の運動パターンによって実行し得ることは不可能である。しかし、学習可能な運動パターン認識が、確実な予測を非常に良好に実行することができることが発見された。当該学習可能性は、特に排泄センサの測定に基づく。当該運動パターン認識によって実行される予測が、当該排泄センサの測定によって検査され得る。当該おむつモジュールによるおむつごとの当該予測が、確実に改良される。すなわち、当該おむつモジュールが、その学習段階を数週間後に終了する前に、顕著な学習成果が、数日後に既に現れる。その後は、排泄の予測が、大きい確率で規則的に実行される。当該学習能力のさらに大きい利点は、その子供の運動パターンが時間の経過中にさらに変化してもよいことである。このような変化でも、数日内に当該おむつモジュールによって把握され、新たに実行される予測に変更される。一貫して使用する場合、ほとんどの子供が、生後一年以内におむつの習慣を止めている。このことは、消費者にとって著しい経済的な利点につながる。さらに、こうして、非常に大量の合成樹脂のごみが節減され得る。
【００１１】
非常に好適な実施の形態によれば、複数の予測信号のうちの幾つかの予測信号が、ユーザによって検査され、これらの検査の結果が、運動パターン認識を改良するために算術演算装置によって記憶される。特に、当該運動パターン認識の改良に関する当該ユーザの検査は、排泄センサのデータに対して優先される。例えば、正確な予測又は間違った予測が、当該予測に基づく運動パターンの精度を向上又は低下させる。
【００１２】
当該おむつモジュールが、当該排泄センサのデータを排泄の種類に関して識別することが可能である。好ましくは、当該おむつモジュールは、湿度センサ及び／又は温度センサを有する。当該排泄の種類が、第１の関連のある運動パターンと第２の関連のある運動パターンと特にその他の関連のある運動パターンとに関連付けされることが好ましい。好ましくは、第２運動パターンが、当該第１の関連のある運動パターンと当該第２の関連のある運動パターンと特に関連のある運動パターンとに割り当てられる。当該おむつモジュールが、当該排泄の種類に相当する予測信号を出力することが好ましい。
【００１３】
好適な１つの実施の形態によれば、１つの排泄が感知されたときに、当該おむつモジュールが、ユーザに注意を喚起するために排泄信号を送信する。当該１つの排泄信号又は複数の排泄信号は、例えば音響信号及び／又は光学信号及び／又は触覚信号を有する。例えば、明るい色調若しくはメロディー、発光ダイオードの明滅又は振動が考慮される。好ましくは、当該１つの排泄信号又は複数の排泄信号は、通信装置によって、例えば無線又は赤外線を通じてモバイル電子機器に送信される。当該排泄信号は、このモバイル電子機器で音響信号／触覚信号に変換される。当該１つの排泄信号又は複数の排泄信号と、当該１つの予測信号及び／又は複数の予測信号とが区別されることが好ましい。好ましくは、当該排泄の種類が、ユーザによって識別されるように、これらの排泄信号は相違する。
【００１４】
ユーザが、特にどちらの排泄が存在するのかを複数の排泄信号のうちの幾つかの排泄信号に基づいて検査することが好ましい。この場合、これらの検査の結果が、排泄を感知するための排泄パターン認識を改良するために算術演算装置によって記憶される。これは、学習可能な排泄パターン認識が、複数の排泄のうちの１つの排泄又はその種類を確実に把握するという認識に基づく。
【００１５】
当該おむつモジュールが、予め設定されている一組の運動パターン及び／又は排泄パターンを有することが、本発明の範囲内にある。用語「予め設定されている」は、特に、運動パターン又は排泄パターンが工場渡しで又は小売前に又は後のアップグレードとして当該おむつモジュール内に記憶されることを意味する。その結果、運動パターン認識又は排泄パターン認識のために必要な運動パターン又は排泄パターンが、初めから存在するので、学習能力が向上され得る。
【００１６】
当該おむつモジュールが、関連のある運動パターン及び／又は排泄パターンと、関連のない運動パターン及び／又は排泄パターンとの識別を改良するために、予め設定されている一組のフィルタを有することが好ましい。特に、フィルタリングされた運動パターンは、運動パターン認識の学習のために使用されない。当該フィルタは、例えば極端な運動パターンを分類し得る。当該フィルタが、例えば複数の運動振幅の複数の閾値を確定することが好ましい。この場合、運動振幅が、これらの閾値の上にあると、これらの運動振幅に属する運動パターンが、当該運動パターン認識の学習に使用されない。当該フィルタが、運動振幅の値の上限及び／又は値の下限を規定することが好ましい。こうして、極端な運動が、初めから選び捨てられる。その結果、例えば、子供の飛び跳ね又はおむつ交換台上での寝返りが、当該学習に最初から全く使用されない。
【００１７】
著しく好適な１つの実施の形態によれば、複数の運動パターンに関連付けられた排泄センサの複数のデータがそれぞれ、これらの運動パターンに時間的に追従する。好ましくは、排泄センサの後続するデータが、予め設定されている期間内にこれらの運動パターンの後方に存在する。当該期間は、例えば１分である。
【００１８】
非常に好適な１つの実施の形態によれば、当該おむつモジュールが、モバイル電子機器と通信するために通信装置を有する。この通信装置は、例えば無線信号を送信し、受信することができる。例えば、ＷＬＡＮ、ブルートゥース又はＧＳＭ無線信号が考慮される。しかし、この通信装置は、赤外線を送信し受信することも可能である。「通信装置」は、特に、付随する電子装置を伴うアンテナと解釈される。当該おむつモジュールが、タイマーを有することが、本発明の範囲内にある。このタイマーは、好ましくは算術演算装置内に存在し、さらに、特にこの算術演算装置の周辺に存在する。
【００１９】
好ましくは、当該排泄センサは、湿度センサである。好ましくは、当該排泄センサは、扁平な要素である。この場合、特に、この扁平な要素の第１縁面は、第２縁面よりも長い。好ましくは、複数の電線が、この扁平な要素に配置されている。この場合、これらの電線は、これらの電線間の抵抗又は静電容量を検出する。好ましくは、これらの電線のうちの少なくとも１つの電線が、この扁平な要素の長さの少なくとも半分にわたって延在する。
【００２０】
当該排泄センサの一部が、おむつモジュールに可逆的に及び／又は不可逆的に装着されることが好ましい。特に、当該排泄センサの一部、特に扁平な要素が、押圧接触部によって、特にばね挟持部によってこのおむつモジュールのハウジングに固定される。好ましくは、この排泄センサを衛生的に洗浄することができるように、この排泄センサは構成されている。
【００２１】
非常に好適な１つの実施の形態によれば、当該おむつモジュールが、例えばフック要素によって、特にフックテープによっておむつに可逆的に及び／又は不可逆的に固定される。別の実施の形態によれば、当該おむつモジュールが、おむつモジュールを吊り下げるための挟持部によっておむつの縁部に固定される。
【００２２】
好ましくは、当該おむつモジュールが、その操作のためにインタフェースを有する。第１の実施の形態によれば、このインタフェースは、その操作のためにハウジングに配置されていて、例えばディスプレイ及び／又は発光ダイオード及び／又はボタンのような特に少なくとも１つの入力要素及び／又は出力要素を有する。別の実施の形態によれば、このインタフェースは、その操作のためにモバイル電子機器上に配置されていて、したがってこのモバイル電子機器の全ての操作要素を使用し得る。特に、当該おむつモジュールは、当該ハウジングで操作するためのインタフェースと、当該モバイル電子機器で操作するためのインタフェースとを有する。
【００２３】
好適な１つの実施の形態によれば、当該運動センサが、回転運動及び／又は並進運動を感知する。当該運動センサは、加速度センサ及び／又は磁場センサ及び／又はジャイロスコープを有してもよい。好適な１つの実施の形態によれば、当該運動センサは、慣性センサである。
【００２４】
当該算術演算装置が、おむつに配置されたおむつモジュールの一部に内蔵されていること、及び／又はおむつに配置されていないおむつモジュールの一部に内蔵されていることが可能である。当該算術演算装置は、おむつだけに配置されてもよく、モバイル電子機器だけに配置されてもよく、又は−分割して−双方の要素に配置されてもよい。
【００２５】
技術的な問題を解決するため、本発明は、おむつ装着者のおむつ内の排泄を予測するためのおむつモジュール、特に本発明の方法によるおむつモジュールを提唱する。この場合、当該おむつモジュールは、排泄センサと運動センサと算術演算装置とを有する。
【００２６】
特に、当該おむつモジュールは、おむつの少なくとも一部に配置され得る。当該算術演算装置が、排泄センサを使用することで、運動センサによって取得された運動パターンを、当該排泄センサのデータに関連付け得るように、当該算術演算装置は構成されていることが可能である。この場合、排泄が感知されたときに、当該運動パターンが、関連のある運動パターンとして記憶され、好ましくはその後に感知される排泄に関連付けされる。好ましくは、当該算術演算装置が、当該関連のある運動パターンによって１つの運動パターン認識を基準でき、関連のある運動パターンと関連のない運動パターンとを識別し得るように、当該算術演算装置は構成されている。好ましくは、当該複数の運動パターンのうちの幾つかの運動パターンが、当該関連のある運動パターンに割り当てられるように、当該複数の運動パターンが、当該運動パターン認識によって分類され得る。これによって、間近に迫っている排泄に対する予測が実行され得る。当該おむつモジュールが、予測時に、ユーザに警告するための予測信号を送信し得る。
【００２７】
以下に、本発明をただ１つの実施の形態を示す図面に基づいて詳しく説明する。この実施の形態は概略的に示されている。
【図面の簡単な説明】
【００２８】
【図１】おむつに装着された本発明のおむつモジュールの投影図である。
【図２】図１のおむつモジュールを前側から見たときの投影図である。
【図３】図１及び２のおむつモジュールを後側から見たときの投影図である。
【図４】図１〜３のおむつモジュールのブロック図である。
【発明を実施するための形態】
【００２９】
図１には、おむつ１が示されている。本発明のおむつモジュール２が、図示されていない面ファスナーによってこのおむつモジュールに装着されている。おむつモジュールは、特に吸収力のある縦長に形成され且つ扁平な要素９によって形成される排泄センサ３を有する。この実施の形態では、当該扁平な要素９は、おむつモジュール２のハウジング２０からおむつ１の上縁部を超え、このおむつ１の内面に沿って当該上縁部からこのおむつ１の二股領域２１まで延在する。このため、当該扁平な要素９は、その片面に図示されていないフック要素を有する。
【００３０】
図２には、おむつモジュール２が、おむつ１なしに示されている。ハウジング２０が、１つのオン／オフスイッチ１６と、おむつモジュール２を操作するためのインタフェース１２とを有する。扁平な要素９が、２つの電線１４，１５を有する。この場合、電線１４が、電線１５を包囲している。この実施の形態では、排泄センサ３は、湿度センサである。この湿度センサは、これらの電線１４，１５間の湿度に依存する抵抗器２２の抵抗を測定することによっておむつ１内の湿度を測定することができる。これらの電線１４，１５間の電気抵抗値が、当該抵抗器２２の周囲の湿度の上昇に起因して低下する。したがって、これらの電線１４，１５間に電圧を印加したときに測定される当該抵抗値の低下は、おむつ１内の湿度の上昇に起因する。
【００３１】
図３には、おむつモジュール２を後側から見たときのこのおむつモジュール２のハウジング２０だけが示されている。おむつ１を安定に保持するフックテープ１７を認識することができる。さらに、凹部１８が見て取れる。扁平な要素９の端部が、この凹部１８内に滑り込まれ得る。この場合、扁平な要素９の電線１４，１５が、押圧接触部１９によって、特にばね挟持部によってハウジング２０に接合される。
【００３２】
図４には、おむつモジュール２が、ブロック図で具体的に示されている。ハウジング２０は、排泄センサ３と操作のためのインタフェース１２とに加えて、運動センサ４と算術演算装置５と通信装置７と電源１３とをさらに有する。運動センサ４は、慣性センサである。この慣性センサは、回転運動と並進運動との双方を認識することができる。これにより、排泄前にありがちな寝返り動作と手足をばたばた動かす動作との双方が把握され得る。算術演算装置５が、プロセッサ１０とメモリ１１とタイマー６とを有する。この場合、プロセッサ１０は、タイマー６をさらに有する。
【００３３】
この実施の形態では、通信装置７は、ＷＬＡＮインタフェースであり、したがって、例えばスマートフォン又はタブレットのようなモバイル電子機器に容易に接続され得る。この実施の形態では、おむつモジュール２が、スマートフォンとしてのモバイル電子機器８上にプログラムを有してもよく、モバイル電子機器８自体を有してもよい。当該プログラムが、このスマートフォンの通信装置とハウジング２０内の通信装置７とを通じて算術演算装置５と通信する。この実施の形態では、モバイル電子機器８は、おむつモジュール２の構成要素であるが、ハウジング２０に内蔵されていない。この状況が、破線で示されている。
【００３４】
おむつ１をおむつ装着者に装着した場合、同時に、ハウジング２０も、新規に適用される扁平な要素９と一緒にフックテープ１７によっておむつ１に固定される。当該扁平な要素９は、おむつ１の上縁部に沿わせて曲げられ、下方の二股領域２１までにわたってこの扁平な要素９のフック要素によっておむつ１の内壁に固定される。したがって、おむつモジュール２が、おむつ１を装着し、オン／オフスイッチ１６を操作することによって正常に動作する。
【００３５】
おむつモジュール２は、運動センサ４とタイマー６とによって当該おむつ装着者の連続する運動パターンを記録する。排泄センサ３が、電気抵抗器２２の抵抗値の突然の低下を感知した直後に、こうして感知された排泄が、先行する関連のある運動パターンに関連付けられる。このような多数の関連付けが、時間の経過中に実行される。
【００３６】
排泄が、固体の排泄か又は液体の排泄であるか否かを、算術演算装置５が、当該抵抗値の低下の速度によって評価する。この場合、特に、当該固体の排泄又は液体の排泄に先行する運動パターンが、関連のある運動パターンとして記憶される。当該関連のある運動パターンは、運動パターン認識のための基準として使用される。当該運動パターン認識のプログラムが、算術演算装置５のメモリ１１内に存在する。
【００３７】
最初に、それぞれの運動パターンの、例えば頻度及び振幅分布のような様々な特徴が、当該記憶された多数の運動パターンと、時間に対する運動振幅の変化とから特徴抽出法で算出される。その後に、それぞれの排泄の種類に非常に強く相関する最も重要な複数の特徴が、特徴縮小法で選択される。
【００３８】
短い学習時間の後に、当該運動パターン認識が、当該最も重要な複数の特徴の結合を編集するために十分に多い運動パターンを収集する。したがって、これらの運動パターンが、当該最も重要な複数の特徴に基づいて当該排泄の種類に関して分類され得る。例えば、間近に迫っている液体の排泄の典型的な複数の特徴を含む１つの運動パターンが取得されると、算術演算装置５が、通信装置７を通じてモバイル電子機器８に信号を送信する。これによって、当該ユーザが、間近に迫っている液体の排泄の前に警告される。したがって、当該ユーザは、おむつ装着者、例えば子供を子供用おまる上に座らせ得る。これによって、当該子供のおむつ１の習慣が、時間の経過と共に非常に早く止められ、おむつの消費が劇的に減少され、環境が適切に保護される。
【００３９】
特に学習段階では、排泄物が存在するときに、どんな排泄物が存在するかを、ユーザが予測信号に応じて検査することが有益である。その後に、当該ユーザは、そのユーザのモバイル電子機器８を用いてこの検査の結果を入力し得る。これによって、おむつモジュール２によって実行される当該予測の信憑性が確認又は否定される。当該信憑性が確認された場合には、１つの運動パターン又はこの運動パターンの所定の特徴の信憑性が向上される。こうして、当該運動パターン認識の学習能力がさらに向上される。
【００４０】
さらに、おむつモジュール２は、排泄物をおむつ１内で感知した場合に、排泄物信号を送信する。この排泄物信号は、予測信号と相違するので、ユーザは、即座に情報を提供される。さらに、ユーザは、感知された排泄の種類の信憑性も確認又は否定し得るので、おむつモジュール２は、排泄パターン認識に関しても学習可能である。
【符号の説明】
【００４１】
１    おむつ
２    おむつモジュール
３    排泄センサ
４    運動センサ
５    算術演算装置
６    タイマー
７    通信装置
８    移動電子機器
９    扁平な要素
１０  プロセッサ
１１  メモリ
１２  インタフェース
１３  電源
１４  電線
１５  電線
１６  オン／オフスイッチ
１７  フックテープ（ベルクロ・テープ（商標））
１８  凹部
１９  押圧接触部
２０  ハウジング
２１  二股領域
２２  電気抵抗器
【図１】
2017189615.tif 000003
【図２】
2017189615.tif 000004
【図３】
2017189615.tif 000005
【図４】
2017189615.tif 000006
【外国語明細書】
2017189615000001.pdf